(57)【特許請求の範囲】
【請求項１】
基材シートの少なくとも一方の面に、マトリックス及び粗面化形成剤とからなるハレーション防止層を設けた積層シートにおいて、ハレーション防止層を熱硬化性樹脂又は熱可塑性樹脂からなる合成樹脂マトリックスに、（Ａ）平均粒径１５〜３０μｍの非凝集性樹脂微粒子、（Ｂ）平均粒径１５〜３０μｍの凝集性樹脂微粒子及び（Ｃ）平均粒径１μｍ以下のカーボンブラック微粒子を含み、かつ（Ａ）成分と（Ｂ）成分との配合割合が重量比で１０：１ないし１：２であり、（Ｃ）成分の配合量が（Ａ）成分と（Ｂ）成分との合計重量に基づき３〜５０重量％からなる粗面化形成剤で構成し、その層表面のＪＩＳ  Ｂ０６０１による中心線平均粗さ（Ｒａ）を４．００〜１０．００μｍ、かつＪＩＳ  Ｚ  ８７４１による６０度〜８５度での光沢度を１．０％以下にしたことを特徴とするバック配置用シート。
【発明の詳細な説明】
【０００１】
【発明の属する技術分野】
本発明は、ハレーション防止性に優れ、特に展示商品を引き立てるための用途や、写真撮影時において、ストロボの光によるハレーションを防止し、被写体を鮮明に撮影するための用途などに好適に用いられるバック配置用シートに関するものである。
【０００２】
【従来の技術】
従来、写真、絵画などの展示会や商品の展示などにおいては、それらを引き立てるために、着色された布や紙などのシート状のものを被展示物の下に敷くことがよく行われている。また、写真撮影の際には、外部からの不要な光の侵入を防止するために、暗幕で撮影室を覆ったり、被写体に複数のライトを当て、影ができないようにするなどして、鮮明な写真を撮影しうるようにしている。
しかしながら、展示の際には、展示物と共に、下に敷いてあるシート状物にも照明、太陽光などの光が当たり、シート状物からの光の反射、いわゆるハレーションにより、展示物の輪郭や鮮明性が不明瞭になる。
【０００３】
また、写真撮影時には、暗幕などを用いて不要な光の侵入を防止することが行われるが、この暗幕の表面でストロボの光が散乱し、ハレーションを生じ、鮮明な写真が得られないことがしばしばみられる。したがって、このような現象を防止するために、複数のライトを被写体に当て、ストロボ発光による影の発生やハレーションを防止することが一般に行われているが、この場合、多数のライトを必要とし、作業的にも、コスト的にも必ずしも好ましい方法とはいえない。
【０００４】
【発明が解決しようとする課題】
本発明は、このような事情のもとで、ハレーション防止性に優れ、特に展示商品を引き立てるためや、写真撮影時において、ストロボの光によるハレーションを防止し、かつ被写体に当てるライトを極力少なくして、被写体を鮮明に撮影するために好適に用いられるバック配置用シートを提供することを目的としてなされたものである。
【０００５】
【課題を解決するための手段】
本発明者らは、ハレーションを防止するためのバック配置用シートの開発について鋭意研究を重ねた結果、合成樹脂マトリックスに対し、所定の粒径を有する非凝集性樹脂微粒子と凝集性樹脂微粒子とカーボンブラックとを、それぞれ特定の割合で含有させた樹脂組成物からなり、かつ特定の表面粗さを有するハレーション防止層を、基材シートの少なくとも一方の面に設けることにより、前記目的を達成しうることを見出し、この知見に基づいて本発明を完成するに至った。
【０００６】
すなわち、本発明は、基材シートの少なくとも一方の面に、マトリックス及び粗面化形成剤とからなるハレーション防止層を設けた積層シートにおいて、ハレーション防止層を熱硬化性樹脂又は熱可塑性樹脂からなる合成樹脂マトリックスに、（Ａ）平均粒径１５〜３０μｍの非凝集性樹脂微粒子、（Ｂ）平均粒径１５〜３０μｍの凝集性樹脂微粒子及び（Ｃ）平均粒径１μｍ以下のカーボンブラック微粒子を含み、かつ（Ａ）成分と（Ｂ）成分との配合割合が重量比で１０：１ないし１：２であり、（Ｃ）成分の配合量が（Ａ）成分と（Ｂ）成分との合計重量に基づき３〜５０重量％からなる粗面化形成剤で構成し、その層表面のＪＩＳ  Ｂ０６０１による中心線平均粗さ（Ｒａ）を４．００〜１０．００μｍ、かつＪＩＳ  Ｚ  ８７４１による６０度〜８５度での光沢度を１．０％以下にしたことを特徴とするバック配置用シートを提供するものである。
【０００７】
【発明の実施の形態】
本発明のバック配置用シートに用いられる基材は、透明のものであってもよいし、不透明なものであってもよいが、不透明で遮光性を有する基材を用いたバック配置用シートは、暗幕や写真撮影用途として好適である。
【０００８】
この基材シートとしては、例えばポリオレフィン、ポリエステル、ポリアミドなどの合成樹脂フィルムやシート、さらには紙、布、不織布などの中から、バック配置用シートの用途に応じて適宜選択することができる。また、この基材シートとしては、あらかじめ、カーボンブラックやアニリンブラックなどの黒色顔料を練り込んだものも使用することができる。特に暗幕などの用途では、黒色顔料を練り込んで光学濃度１０以上の高遮光性にしたものは、光の遮蔽性に優れ、好適である。
【０００９】
また、基材として合成樹脂フィルムを用いる場合には、必要に応じ、その片面又は両面をマット加工することにより、ハレーション防止効果を向上させることができる。このマット加工は、例えば化学的エッチング法やサンドブラスト法、合成樹脂と粗面化形成剤とを用いるケミカルマット法などにより行うことができる。
【００１０】
基材の厚さについては特に制限はないが、合成樹脂シートの場合の厚さは、２５〜２００μｍ程度が適当である。この場合、厚さが２５μｍ未満では反射防止効果が十分に発揮されないおそれがあるし、２００μｍを超えると軽量化の点で不利となる。
【００１１】
本発明のバック配置用シートは、前記基材シートの少なくとも一方の面にハレーション防止層を設けたものであるが、基材シートとハレーション防止層との接着性を向上させるために、所望によりアンカー層を設けることができる。このアンカー層としては、例えば尿素系樹脂、メラミン系樹脂、ウレタン系樹脂などからなる層が挙げられる。アンカー層にウレタン系樹脂を用いる場合には、例えばポリイソシアネート化合物とジアミンやジオールなどの活性水素含有化合物とを含む溶液を、また尿素系樹脂やメラミン系樹脂の場合には、水溶性尿素系樹脂や水溶性メラミン系樹脂を含む溶液を基材表面に塗布し、硬化させることにより、アンカー層を形成することができる。このアンカー層としては、０．５〜２．０ｇ／ｍ2程度の厚さのものが好ましい。
【００１２】
本発明のバック配置用シートにおけるハレーション防止層は、マトリックスを構成する合成樹脂に対し、（Ａ）非凝集性樹脂微粒子、（Ｂ）凝集性樹脂微粒子及び（Ｃ）カーボンブラックを含有させた樹脂組成物からなっている。
上記合成樹脂としては、例えば熱硬化性樹脂や熱可塑性樹脂を用いる。このような熱硬化性樹脂としては、例えばアクリル系、ウレタン系、フェノール系、メラミン系、尿素系、ジアリルフタレート系、ポリエステル系、エポキシ系、アルキド系などの熱硬化性樹脂が好ましい。これらは単独で用いてもよいし、２種以上を組み合わせて用いてもよい。これらの中で、特に熱硬化性のアクリルエマルションが耐熱性、耐湿性、耐溶剤性及び表面硬度などに優れるので好ましい。また、熱可塑性樹脂としては、熱可塑性アクリル樹脂や、塩化ビニル樹脂、ブチラール樹脂、スチレン／ブタジエン樹脂などが挙げられる。
【００１３】
このマトリックスを構成する合成樹脂には、所望により、架橋剤を含有させることができる。この架橋剤としては、例えば、尿素樹脂、メラミン樹脂、イソシアネート樹脂、アジリニン樹脂、オキサゾリン樹脂などが挙げられ、特にメラミン樹脂が、耐熱性、耐溶剤性及び塗膜硬度などに優れるので好ましい。架橋剤の配合割合は、該合成樹脂に対し、通常１０〜５０重量％の範囲である。これよりも少ないと所望の特性が得られず、また、これより多いと塗膜が硬すぎてもろくなる。
【００１４】
さらに、架橋剤を用いる場合は、その反応を促進するために、反応触媒を併用するのが好ましい。この反応触媒としては、例えばアンモニアや塩化アンモニウムなどが挙げられる。反応触媒の配合割合は、架橋剤に対し通常０．１〜１０重量％の範囲である。
【００１５】
次に、粗面化形成剤としては、無機系又は有機系の粗面化形成剤を用いることができる。この粗面化形成剤としては、（Ａ）非凝集性樹脂微粒子と（Ｂ）凝集性樹脂微粒子と（Ｃ）カーボンブラック微粒子との組み合せが用いられる。
（Ａ）成分の非凝集性樹脂微粒子としては、平均粒径が１５〜３０μｍの範囲にあるものが用いられ、特に２０〜３０μｍの範囲にあるものが低角度での入射光の反射防止性が優れるという点で好ましい。この非凝集性樹脂微粒子は、合成樹脂の組成を選択して非凝集性に調整したものであってもよいし、凝集性微粒子を、分散剤、例えば界面活性剤などで処理して、非凝集性にしたものであってもよい。
【００１６】
また（Ｂ）成分の凝集性樹脂微粒子としては、平均粒径が１５〜３０μｍの範囲にあるものが用いられる。一般に樹脂を微粉化すると水中において凝集するようになるのでこれをそのまま用いてもよい。この凝集性樹脂微粒子としては、水中において、５０〜２００μｍ程度の平均粒径を有する凝集体を形成するものが好ましい。この凝集性微粒子は、前記合成樹脂、（Ａ）成分及び後述する（Ｃ）成分を含有するハレーション防止層形成用塗工液中で凝集して、前記（Ａ）成分の平均粒径より大きい凝集体を形成するものが好ましく、これによりさらに低角度の入射光によるハレーション及び反射防止性が向上する。この凝集性樹脂微粒子としては、通常ウレタン系樹脂微粒子が用いられる。
【００１７】
前記（Ａ）成分及び（Ｂ）成分の樹脂微粒子の形状については特に制限はないが、球状のものが、塗工液の流動特性及び塗布性を向上させ、かつ低角度の入射光によるハレーションの防止性が向上するので好ましい。
【００１８】
一方、（Ｃ）成分のカーボンブラックとしては、平均粒径が１μｍ以下であることが必要である。平均粒径が１μｍを越えると、（Ａ）成分や（Ｂ）成分との粒径差が小さくなるとともに、表面積が小さくなり、カーボンブラックの充填密度が低下するため、光吸収能力が低下し、ハレーション発生の原因となる。ハレーション防止性の面から、このカーボンブラックの特に好ましい平均粒径は０．５μｍ以下である。
【００１９】
本発明シートのハレーション防止層における各成分の配合割合については、（Ａ）成分と（Ｂ）成分との配合割合は、重量比で１０：１ないし１：２の範囲である。（Ａ）成分の量がこの範囲より少ないと高角度の入射光によるハレーションの発生の原因となるし、この範囲より多いとハレーション防止層表面の中心線平均粗さが小さくなるため、低角度の入射光によるハレーション防止性が低下する。高角度及び低角度の入射光によるハレーション防止性の面から、（Ａ）成分と（Ｂ）成分との配合割合は、重量比で７：１ないし１：２の範囲が好ましい。
【００２０】
また、（Ｃ）成分の配合割合は、（Ａ）成分と（Ｂ）成分との合計量に基づき、３〜５０重量％の範囲である。（Ｃ）成分との配合量が３重量％未満では、高角度での反射防止性が低下するし、５０重量％を超えると塗膜表面の乱反射効率が悪くなり、低角度での反射防止性が低下する。ハレーション防止性の面から、この（Ｃ）成分の配合量は、（Ａ）成分と（Ｂ）成分との合計重量に基づき、５〜３０重量％の範囲が好ましい。
【００２１】
また、本発明においては、（Ａ）成分、（Ｂ）成分及び（Ｃ）成分は、その合計量が、前記マトリックスを構成する合成樹脂１００重量部に対し、５０〜７００重量部になるような割合で配合することが好ましい。この配合量が５０重量部未満では基材や所望により設けられるアンカー層との密着性が悪く、反射率が高くなるおそれがあるし、７００重量部を超えると塗膜がもろくなりやすい。塗膜物性及びハレーション防止性の面から、（Ａ）成分、（Ｂ）成分及び（Ｃ）成分は、その合計量が、マトリックスを構成する合成樹脂１００重量部に対して、１００〜３００重量部の範囲にあるのが、特に好ましい。
【００２２】
このハレーション防止層を形成させるには、まず、マトリックスを構成する合成樹脂、（Ａ）成分、（Ｂ）成分及び（Ｃ）成分を、それぞれ所定の割合で水又は有機溶剤、あるいは水と有機溶剤との混合液に添加して、懸濁液からなるハレーション防止層形成用塗工液を調製する。
この際、必要に応じ、従来使用されている各種添加剤、例えば、増粘剤、分散剤、着色剤、消泡剤などを配合することができる。特に、水溶性アクリル系樹脂は、塗工液に対し、優れた増粘効果及び分散効果をもたらすので、好ましい。この水溶性アクリル系樹脂を配合する場合、その配合割合は、マトリックスを構成する樹脂、（Ａ）成分、（Ｂ）成分及び（Ｃ）成分の合計重量に基づき、０．５〜５重量％の範囲が好ましい。この配合量が、０．５重量％未満では増粘効果が不十分で、塗布性の向上効果が十分に発揮されないし、５重量％を越えると液粘度が高くなりすぎ、塗布性が低下する。
【００２３】
次に、このようにして調製した塗工液を、基材又はアンカー層上に、塗布法、含浸法、吹付け法などにより塗工したのち、乾燥・硬化させることによりハレーション防止層を形成する。
このようにして形成されたハレーション防止層は、ＪＩＳ  Ｂ０６０１に従い測定した中心線平均粗さ（Ｒａ）が４．００〜１０．００μｍの範囲であり、好ましくは４．００〜８．００μｍの範囲である。これによって、低角度での入射光によるハレーションの防止効果が得られる。また、このハレーション防止層の反射濃度は１．６０以上であるのが好ましい。この反射濃度が１．６０未満では高角度での光の反射防止性が低下する。また、このハレーション防止層は、ＪＩＳ  Ｚ  ８７４１に従い、光沢度計で測定した際の入射光６０度〜８５度の範囲に対する光沢度が１．０％以下であることが必要である。この光沢度が１．０％を超えるとハレーション防止性が不十分となる。このような光沢度は、前記合成樹脂バインダー、粗面化形成剤及びカーボンブラック微粒子からなる層を基材シート上に形成することによって容易に得ることができる。
【００２４】
さらに、このハレーション防止層の厚さは１０〜１００μｍの範囲が好ましい。この厚さが１０μｍ未満ではハレーション防止効果が十分に発揮されないし、１００μｍを超えるとハレーション防止層が厚くなりすぎ、バック配置用シートの軽量化及び商品価値の点で不利となる。時に好ましいハレーション防止層の厚さは２０〜６０μｍの範囲である。
【００２５】
本発明のバック配置用シートにおいては、ハレーション防止層とは反対側の基材表面の全面又は部分的に粘着層を介して剥離シートを積層することもできる。そして使用時にはこの剥離シートを剥がし、粘着層により、容易に被着体へ貼着することができる。この貼着層の厚さとしては、通常１０〜２５ｇ／ｍ2、好ましくは１２〜２０ｇ／ｍ2の範囲で選ばれる。
【００２６】
この粘着層を構成する粘着剤としては、例えば天然ゴム、天然ゴムとスチレンブタジエンゴムとの混合物、アクリル系共重合体、ブタジエン又はイソプレンとスチレンとの共重合体、ビニルエーテル共重合体、シリコーンゴムなどを基剤とし、これらにロジン系、石油系又はテルペン系などの粘着性付着剤、粘着調整剤、粘着改良剤、老化防止剤、安定剤、着色剤などの成分を添加したものを用いることができるが、特にアクリル酸エステル系樹脂を主成分とする基剤からなるものが好ましい。
また、断面などにおいて側方からの入射光に基づく反射をできるだけ防止するために、濃色着色剤を含有させるのが有利である。
【００２７】
【発明の効果】
本発明のバック配置用シートは、ハレーション防止性に優れ、特に展示商品を引き立てるための用途や、写真撮影時において、ストロボの光によるハレーションを防止し、かつ被写体に当てるライトを極力少なくして、被写体を鮮明に撮影するための用途などに好適に用いられる。
【００２８】
【実施例】
次に本発明を実施例によりさらに詳細に説明するが、本発明は、これらの例によってなんら限定されるものではない。
【００２９】
なお、各例中の物性は以下の方法によって測定したものである。
（１）光沢度（％）：ＪＩＳ  Ｚ８７４１に従い光沢度計を用いて入射光６０度、７５度、８５度に対する光沢度を測定した。
（２）表面粗さ（Ｒａ）：ＪＩＳ  Ｂ０６０１に従い中心線平均粗さとして測定した。
（３）反射濃度：デジタル反射濃度計マクベス（Ｍａｃｂａｔｈ）ＲＤ−９１８により測定した。
（４）写真撮影性：被写体の後ろ側に、バック配置用シートを置き、インスタントカメラ（製品名：ＦＯＴＯＲＭＡ  ＭＸ８０、富士写真フィルム社製）で撮影し、この際の写真の鮮明性を目視にて次の評価基準に従って評価した。
○：バックに、ハレーション、被写体の影がなく、被写体の輪郭及び細部が鮮明に写っている。
△：バックに、ハレーションが若干見られるか又は被写体の輪郭又は細部が部分的にぼやけている。
×：バックに、ハレーションが顕著であるか又は被写体の輪郭及び細部がぼやけている。
【００３０】
実施例１
厚さ１３０μｍのポリエチレンテレフタレートフィルムの片面に、厚さ７ｇ／ｍ2のウレタン樹脂からなるアンカー層を形成した。
別に、熱硬化性アクリルエマルション（ヘキスト合成社製，商品名「モビニール７４７」，固形分濃度４３重量％）１６．４重量部、平均粒径１μｍ以下のカーボンブラック（御国色素社製，商品名「ＧＰブラック＃４６１３」，固形分濃度１２重量％）９．１重量部、平均粒径２０μｍの非凝集性アクリル樹脂微粒子（積水化成工業社製，商品名「テクポリマーＭＢＸ−２０Ｂ」）１５．０重量部、平均粒径２０μｍの凝集性ウレタン樹脂微粒子（大日本インキ化学工業社製，商品名「バーノックＣＦＢ−６００Ｃ」）６．３重量部、水溶性アクリル樹脂（日本純薬社製，商品名「ジュリマーＡＣ−１０Ｈ」、固形分濃度２０重量％）３．０重量部、架橋剤としてのメラミン樹脂（住友化学社製，商品名「スミテックレジンＭ−３」，固形分濃度８０重量％）３．８重量部、５重量％アンモニア水溶液 ４．０重量部、２０重量％塩化アンモニウム水溶液 ０．８重量部、エタノール ８．３重量部及び水 ３３．３重量部を混合して、ハレーション防止層形成用塗工液を調製した。
次に、前記基材上に設けたウレタン樹脂からなるアンカー層上に、上記ハレーション防止層形成用塗工液を塗布し、厚さ４１μｍのハレーション防止層を形成して、バック配置用シートを作製した。
このバック配置用シートの物性を表２に示す。
【００３１】
実施例２、３
実施例１におけるハレーション防止層形成用塗工液において、各成分の配合割合を表１に示すように変えた以外は、実施例１と同様にしてバック配置用シートを作製した。その物性を表２に示す。
【００３２】
比較例１
市販の暗幕（オーク製作所社製，商品名「オークジェットライト」付属品）を用いた。このものの物性を表２に示す。
【００３３】
比較例２
黒色顔料含有ポリエチレンテレフタレート（厚さ１２５μｍ）の表面を、サンドブラスト処理し、バック配置用シートを作製した。このものの物性を表２に示す。
【００３４】
【表１】
0004268247.tif 000002
【００３５】
【表２】
0004268247.tif 000003
【００３６】
表２からも分かるように、比較例１、２は写真撮影においてハレーションをおこし、鮮明な写真を得ることができないが、本発明の実施例１〜３のものは鮮明な写真を得ることができる。